(57)【要約】【課題】  内部にこれを一方向へ摺動附勢させる弾性手段と共にスライダーを収装させて成る支持部材を、取付部材へ連結し易くなるように工夫した原稿圧着板開閉装置を提供する。【解決手段】  支持部材内にこれを一方向へ摺動附勢させる弾性手段と共に収装されるカムスライダーを弾性手段の弾力に抗して支持部材内に押し込み、定位置で停止させるためのストッパーピンを挿入させるストッパー孔を、当該支持部材の両側板に設けて、組立時にカムスライダーを押し込んだ後、ストッパー孔にストッパーピンを挿入してカムスライダーの移動を阻止し、カムスライダーによる支持部材のヒンジピン取付孔の閉塞を阻止する。このことにより支持部材のヒンジピン取付孔と取付部材の連結孔に取り付けた軸受部材の軸受孔との孔合わせを容易に行えることにより、前記の課題を解決した。【選択図】        図１
2006163180.tif 000002
【特許請求の範囲】
【請求項１】
事務機器の機器本体に取り付けられるところの両側板に連結孔を有する取付部材と、両側板に連結孔を有する支持部材と、この支持部材の連結孔と前記取付部材の連結孔に挿入されて前記支持部材と前記取付部材とを互いに回動可能に連結する第１ヒンジピンと、前記支持部材の両側板の自由端部側に第２ヒンジピンを介して回動可能に連結される両側板を有し、原稿圧着板に取り付けられるリフト部材と、前記取付部材の両側板に前記第１ヒンジピンとは異なる位置に取り付けた受圧ピンと、前記リフト部材の両側板に前記第２ヒンジピンとは異なる位置に取り付けた作動ピンと、前記支持部材内に挿入されて前記受圧ピンと前記作動ピンとの間に弾設された弾性手段と、この弾性手段と前記受圧ピンとの間に介在させたカムスライダーと、を備えた原稿圧着板開閉装置であって、
前記支持部材の両側板に、当該支持部材を前記取付部材へ前記第１ヒンジピンで連結する際に前記カムスライダーを前記弾性手段の弾力に抗して前記支持部材内に押し込んでその位置で停止させるためのストッパーピンを挿入させるストッパー孔を設けたことを特徴とする、原稿圧着板開閉装置。
【請求項２】
前記受圧ピンを、前記取付部材の両側板へ取り付けるカム部材としたことを特徴とする、請求項１に記載の原稿圧着板開閉装置。
【請求項３】
前記弾性手段が、圧縮コイルスプリングであり、この圧縮コイルスプリングの中に前記支持部材の所定の回動角度以下で動作するダンパー装置を設けたことを特徴とする、請求項１又は２に記載の原稿圧着板開閉装置。
【請求項４】
前記圧縮コイルスプリングの前記作動ピンと圧接する側には、筒状のバネ受け部材が被されており、このバネ受け部材と前記カムスライダーは、前記支持部材の天板と前記両側板と拘持板で構成された収容部に前記圧縮コイルスプリングと共に挿入されていることを特徴とする、請求項３に記載の原稿圧着板開閉装置。
【請求項５】
前記弾性手段は、複数の圧縮コイルスプリングで構成されていることを特徴とする、請求項１〜４のいずれか１項に記載の原稿圧着板開閉装置。
【請求項６】
前記カムスライダーは、前記支持部材の所定の回動角度以上で前記第１ヒンジピンに当接し、該所定の回動角度より大きい回動角度において、前記受圧ピンに当接しないように構成したことを特徴とする、請求項１〜５のいずれか１項に記載の原稿圧着板開閉装置
【請求項７】
前記請求項１〜６のいずれか１項に記載の原稿圧着板開閉装置を備えたことを特徴とする、事務機器。
【発明の詳細な説明】
【技術分野】
【０００１】
本発明は、複写機、印刷機、ファクシミリ、スキャナー等の事務機器に用いて好適な原稿圧着板開閉装置及びその原稿圧着板開閉装置を備えた事務機器に関するものである。
【背景技術】
【０００２】
複写機、印刷機、ファクシミリ、スキャナー等の事務機器の機器本体には、その機器本体の上面後部に原稿圧着板が原稿圧着板開閉装置を介して開閉可能に取り付けられている。原稿圧着板開閉装置は、一種のヒンジ機構であり、原稿圧着板をヒンジ軸まわりに開閉可能に軸支して、機器本体の上面のコンタクトガラス面上に原稿圧着板を圧着させることができると共に、そのコンタクトガラスを露出させることができる。原稿をコンタクトガラス面上にセットするには、原稿圧着板を上方に回動させて（原稿圧着板がコンタクトガラスから離間する方向（開成方向ということがある。）に移動させて）コンタクトガラス面を露出（開放）させ、そのコンタクトガラスの面上に原稿を載置した後、原稿圧着板を逆方向に回動させて閉じ、原稿圧着板で原稿をコンタクトガラス面上に圧着させることにより、原稿をコンタクトガラス面上にセットすることができる。
【０００３】
このような原稿圧着板開閉装置の中には、弾性手段の付勢力により本来の重量を感じさせることなく原稿圧着板を上方に回動させることができる原稿圧着板開閉装置が知られている（例えば、特許文献１参照。）。この原稿圧着板開閉装置は、機器本体に取り付けられる取付部材と、この取付部材にヒンジピンを介して回動可能に連結された支持部材と、取付部材と支持部材との間に設けられ、原稿圧着板を上方に回動付勢する弾性手段と、を備えている。この弾性手段は、支持部材側に取り付けられた作動ピンと取付部材側に取り付けられた受圧ピンとの間に弾設した圧縮コイルスプリングからなり、この圧縮コイルスプリングと受圧ピンとの間にカムスライダーを介在させてなる。
【特許文献１】特開平１１−９５３３９号公報
【発明の開示】
【発明が解決しようとする課題】
【０００４】
ところで、前述した公知の原稿圧着板開閉装置では、原稿圧着板を開成方向に回動付勢する弾性手段を設けて、この弾性手段の付勢力によりその本来の重量を感じさせることなく原稿圧着板を開成方向に回動させることができるが、しかし、組立時に圧縮コイルスプリングの付勢力によりカムスライダーが支持部材より突出するため、このカムスライダーが取付部材の両側板へ支持部材の両側板を連結するヒンジピン取付孔を塞ぐことから、取付部材の両側板の連結孔へヒンジピンを介して支持部材の両側板を連結する組立作業が困難であるという問題があった。
【０００５】
すなわち、上記した原稿圧着板開閉装置の組み立ては、支持部材を取付部材へヒンジピンを介して連結させる際に、支持部材に弾性手段をカムスライダーと共に組み込むことが必要となる。このとき、弾性手段はこの一端部を支持部材の自由端部側の作動ピンにバネ受け部材を介して当接しているので、カムスライダーは弾性手段に押されて支持部材のヒンジピンを挿通させるヒンジピン取付孔を塞ぐことになる。つまり、この弾性手段を組み込んだ支持部材のヒンジピン取付孔と取付部材のヒンジピンを挿通させる連結孔に取り付けた軸受部材の軸受孔とを孔合わせして、これら孔合わせした各孔へヒンジピンを挿通させることにより、支持部材が取付部材に回動可能に連結される。このとき、カムスライダーがヒンジピン側に弾性手段の弾力により押されて突出していると、このカムスライダーがヒンジピン取付孔を塞がないように、支持部材の中へカムスライダーを弾性手段の弾力に抗して押し込みつつ、連結孔へ軸受部材を取り付け、さらにワッシャーを介在させた上で、ヒンジピンによる挿通連結を行わなければならないので、支持部材の取付部材への連結作業を行い難いという問題があった。
【０００６】
また、従来公知の原稿圧着板開閉装置は、これを機器本体へセットしたとき、原稿圧着板が所定角度以上開かれると、弾性手段の弾力が勝り始めることから、急激に原稿圧着板を跳ね上げ、機器本体に衝撃を与えるという問題があり、特に事務機器が複写機であって、原稿圧着板に原稿自動送り装置が設置されているものの場合には、原稿圧着板もかなりの重量となることから、機器本体に衝撃を与えるという問題がある他、原稿自動送り装置にも影響を与える恐れがあるという問題があった。
【０００７】
本発明は、前記課題を解決するためになされたものであって、その第１の目的は、組立作業性を向上することができる原稿圧着板開閉装置を提供することにある。
本発明の第２の目的は、弾性手段を用いても原稿圧着板が所定の開成角度から急激に跳ね上がらないように工夫した原稿圧着板開閉装置を提供することにある。
さらに、本発明の第３の目的は、前記の目的を達成した原稿圧着板開閉装置を備えた事務機器を提供することにある。
【課題を解決するための手段】
【０００８】
前記の目的を達成するために本発明に係る原稿圧着板開閉装置は、事務機器の機器本体に取り付けられるところの両側板に連結孔を有する取付部材と、両側板に連結孔を有する支持部材と、この支持部材の連結孔と前記取付部材の連結孔に挿入されて前記支持部材と前記取付部材とを互いに回動可能に連結する第１ヒンジピンと、前記支持部材の両側板の自由端部側に第２ヒンジピンを介して回動可能に連結される両側板を有し、原稿圧着板に取り付けられるリフト部材と、前記取付部材の両側板に前記第１ヒンジピンとは異なる位置に取り付けた受圧ピンと、前記リフト部材の両側板に前記第２ヒンジピンとは異なる位置に取り付けた作動ピンと、前記支持部材内に挿入されて前記受圧ピンと前記作動ピンとの間に弾設された弾性手段と、この弾性手段と前記受圧ピンとの間に介在させたカムスライダーと、を備えた原稿圧着板開閉装置であって、前記支持部材の両側板に、当該支持部材を前記取付部材へ前記第１ヒンジピンで連結する際に前記カムスライダーを前記弾性手段の弾力に抗して前記支持部材内に押し込んでその位置で停止させるためのストッパーピンを挿入させるストッパー孔を設けたことを特徴とする。
【０００９】
この発明によれば、カムスライダーを弾性手段の弾力に抗して支持部材内に押し込んでその位置で停止させるためのストッパーピンを挿入させるストッパー孔を支持部材の両側板に設けたことにより、組立時、ストッパー孔にストッパーピンを挿入してカムスライダーの移動を防止し、カムスライダーによる支持部材の連結孔の閉塞を防止することができる。その結果、支持部材の連結孔と取付部材の連結孔との孔合わせ及びこれら孔合わせした各連結孔への第１ヒンジピンの挿通を容易に行え、組立性が向上する。
【００１０】
本発明に係る原稿圧着板開閉装置において、前記受圧ピンを、前記取付部材の両側板へ取り付けるカム部材とすることが好ましい。また、本発明に係る原稿圧着板開閉装置において、前記弾性手段が、圧縮コイルスプリングであり、この圧縮コイルスプリングの中に前記支持部材の所定の回動角度以下で動作するダンパー装置を設けることが好ましい。また、本発明に係る原稿圧着板開閉装置において、前記圧縮コイルスプリングの前記作動ピンと圧接する側には、筒状のバネ受け部材が被されており、このバネ受け部材と前記カムスライダーは、前記支持部材の天板と前記両側板と拘持板で構成された収容部に前記圧縮コイルスプリングと共に挿入されていることが好ましい。また、本発明に係る原稿圧着板開閉装置において、前記弾性手段は、複数の圧縮コイルスプリングで構成されていることが好ましい。
【００１１】
また、本発明に係る原稿圧着板開閉装置において、前記カムスライダーは、前記支持部材の所定の回動角度以上で前記第１ヒンジピンに当接し、該所定の回動角度より大きい回動角度において、前記受圧ピンに当接しないように構成することが好ましい。この発明によれば、原稿圧着板が所定の回動角度以上開かれると、カムスライダーが第１ヒンジピンに当接した後に受圧ピンに当接しないようになっているために、原稿圧着板に弾性手段の弾力が作用しなくなるので、急激に原稿圧着板が跳ね上がることが防止されることになる。
【００１２】
また、前記の目的を達成するために本発明に係る事務機器は、前記の本発明に係る原稿圧着板開閉装置を備えたことを特徴とする。この発明によれば、前述と同様に、組立時、ストッパー孔にストッパーピンを挿入してカムスライダーの移動を防止し、カムスライダーによる支持部材のヒンジピン取付孔の閉塞を阻止することができるので、支持部材のヒンジピン取付孔と取付部材の連結孔に取り付けた軸受部材の軸受孔との孔合わせ、及びこれら孔合わせした各ヒンジピン取付孔と軸受孔へワッシャーを介しての第１ヒンジピンの挿通を容易に行え、組立作業性が向上する。
【発明の効果】
【００１３】
以上説明したように本発明に係る原稿圧着板開閉装置及び事務機器によれば、組立時、ストッパー孔にストッパーピンを挿入してカムスライダーの移動を阻止し、カムスライダーによる支持部材のヒンジピン取付孔の閉塞を阻止することができるので、支持部材のヒンジピン取付孔と取付部材の連結孔に取り付けた軸受部材の軸受孔との孔合わせ、及びこれら孔合わせした各孔へのワッシャーを介しての第１ヒンジピンの挿通を容易に行え、組立作業性を向上することができる。
【発明を実施するための最良の形態】
【００１４】
以下、本発明に係る原稿圧着板開閉装置を添付図面に基づいて詳述する。
図１〜図８は本発明に係る原稿圧着板開閉装置の一例を示す図である。本発明に係る原稿圧着板開閉装置は、図１〜図８に示すように、事務機器の機器本体２の後端部に、原稿圧着板３を開閉可能に取り付けるものである。事務機器としては、特に限定されず、例えば、複写機、印刷機、ファクシミリ、スキャナー等が挙げられ、特に複写機が好ましいものとして挙げられる。
【００１５】
本発明に係る原稿圧着板開閉装置１は、事務機器の機器本体２に取り付けられ、両側板４２、４２に連結孔１６、１６を有する取付部材４と、両側板５２、５２にヒンジピン取付孔１７、１７を有する支持部材５と、この支持部材５のヒンジピン取付孔１７、１７と、取付部材４の連結孔１６、１６に取り付けた軸受部材４４、４４の軸受孔４５、４５へ、ワッシャー４６、４６を介して挿入されて支持部材５と取付部材４とを互いに回動可能に連結する第１ヒンジピン１１と、支持部材５の両側板５２、５２の自由端部側に第２ヒンジピン１２を介して回動可能に連結される両側板６２、６２を有し、原稿圧着板３に取り付けられるリフト部材６と、取付部材４の両側板４２、４２に前記第１ヒンジピン１１とは異なる位置に取り付けた受圧ピン１３と、リフト部材６の両側板６２、６２に第２ヒンジピン１２とは異なる位置に取り付けた作動ピン１４と、支持部材５内に挿入されて受圧ピン１３と作動ピン１４との間に弾設された弾性手段７と、この弾性手段７と受圧ピン１３との間に介在させたカムスライダー７２と、を備え、支持部材５の両側板５２、５２に、当該支持部材５を取付部材４へ第１ヒンジピン１１で連結する際にカムスライダー７２を弾性手段７の弾力に抗して支持部材５内に押し込んでその位置で停止させるためのストッパーピン１０を挿入させるストッパー孔９、９を設けたことを特徴とする。
【００１６】
取付部材４は、機器本体２に取り付けられる底板４１と、底板４１の両側端部からそれぞれ底板４１に対して直交する方向（略直交する方向も含む。）に延びる両側板４２、４２と、底板４１の一端部（後端部）から底板４１に対して直交する方向（略直交する方向も含む。）に延びる略矩形状の後板４３と、からなる。
【００１７】
底板４１は、略矩形状に形成され、ビス等で機器本体２に取り付けられる。側板４２は、略Ｌ字状に形成され、底板４１に対して直交する方向（略直交する方向も含む。）に延びる両側板４２、４２に、第１ヒンジピン１１が挿通される連結孔１６、１６が設けられている。この連結孔１６、１６には回転を拘束されて軸受部材４４、４４が取りつけられ、さらにワッシャー４６、４６が支持部材５の両側板５２、５２との間に介在させられる構成である。連結孔１６、１６より底板４１側（下方）で、かつ、内側（前方）に偏した位置には受圧ピン取付孔４７、４７が設けられている。この受圧ピン取付孔４７、４７に受圧ピン１３が挿通され、かしめ等の手段で固定されている。受圧ピン１３は、カムスライダーの底部の外表面が当接する受圧部材であり、この受圧部材は、受圧ピン１３等のピンに限定されず、例えば受圧ローラでもよい。
【００１８】
支持部材５は、天板である上板５１と、上板５１の両側端部からそれぞれ上板５１に対して直交する方向（略直交する方向も含む。）に延びる両側板５２、５２と、側板５２、５２の先端部を互いに対向する側に９０°折り曲げてなる拘持板５３と、からなる。これらの上板５１、両側板５２、５２、拘持板５３で収容部５８が構成されている。
【００１９】
リフト部材６の上板６１の後端部近傍には、原稿圧着板３の水平位置を調節する水平位置調節手段５９が設けられていることが好ましい。水平位置調節手段５９は、例えば、上板６１の後端部近傍であってその幅方向の中央部（略中央部を含む。）に設けられた調節ネジ５９ａと締結ナット５９ｂとからなる。締結ナット５９ｂが上板６１に固定され、この締結ナット５９ｂに調節ネジ５９ａが螺合されると共に、調節ネジ５９ａの先端が支持部材５の上板５１に当接して、調節ネジ５９ａの調節により支持部材５とリフト部材６との間隔が調節されて、原稿圧着板３の水平位置が調節されるようになっている。
【００２０】
支持部材５の両側板５２、５２の一端部（後端部）には、第２ヒンジピン１２が挿通される第２ヒンジピン孔５７が設けられていると共に、後述する作動ピン１４が入り込む切欠部５４が設けられている。両側板５２、５２の他端部（前端部）には、ヒンジピン取付孔１７が設けられている。両側板５２、５２のヒンジピン取付孔１７と取付部材４の連結孔１６とが孔合わせされてこれら各孔１７、１６に第１ヒンジピン１１が挿通されることによって、支持部材５が取付部材４に第１ヒンジピン１１を軸に回動可能に連結されている。
【００２１】
リフト部材６は、厚さが厚い原稿も機器本体２の上面に安定して圧着させるためのものである。リフト部材６は、原稿圧着板３の後端側にビス等で取り付けられる上板６１と、この上板６１の両端部からそれぞれ上板６１に対して直交する方向（略直交する方向も含む。）に延びる両側板６２とから略コ字状であって支持部材５を覆うように形成されている。リフト部材６の一端部（後端部）の中央より上板６１側の箇所には第２ヒンジピン挿通孔（図示せず）が設けられていると共に、第２ヒンジピン挿通孔より他端部側で、かつ、中央より上板６１側とは反対側の箇所には作動ピン１４が挿通される作動ピン孔（図示せず）が設けられている。両側板６２、６２の作動ピン孔に作動ピン１４が挿通されて固定されている。リフト部材６の両側板６２、６２の第２ヒンジピン挿通孔６７と支持部材５の両側板５２、５２の第２ヒンジピン孔５７とが孔合わせされてこれら各孔６７、５７に第２ヒンジピン１２が挿通されることによって、リフト部材６と支持部材５とが第２ヒンジピン１２を軸に互いに回動可能に連結されている。
【００２２】
弾性手段７は、原稿圧着板３を開成方向に回動付勢すると共に、リフト部材６を支持部材５と重なり合う方向へ付勢し、かつ、原稿圧着板３が所定の開成角度以下のとき、原稿圧着板３を付勢する弾力が原稿圧着板３のモーメントより小さいものである。なお、本発明において開成方向とは、原稿圧着板３を回動させる際に原稿圧着板３がコンタクトガラス２０から離間する方向をいう。本発明における開成角度とは、機器本体２の上面であるコンタクトガラス２０面に対する原稿圧着板３の角度である。本発明における所定の開成角度とは、例えば、弾性手段７による原稿圧着板３を付勢する付勢力が原稿圧着板３のモーメントより小さくなる角度である。
【００２３】
弾性手段７は、例えば、圧縮コイルスプリング７３である。圧縮コイルスプリング７３は、支持部材５内に挿入されて作動ピン１４と受圧ピン１３との間に弾設されている。圧縮コイルスプリング７３の作動ピン１４との間には、バネ受け部材７１が設けられていると共に、圧縮コイルスプリング７３の受圧ピン１３との間には、カムスライダー７２が設けられている。
【００２４】
圧縮コイルスプリング７３は、その個数は特に限定されず、１個でも２個以上でもよく、バネ受け部材７１及びカムスライダー７２をそれぞれ互いに離間する方向に付勢するものである。圧縮コイルスプリング７３は、原稿圧着板３を開成方向に回動付勢すると共に、原稿圧着板３が所定の開成角度（例えば、２０°（２０°前後も含む。））以下のとき、原稿圧着板３を付勢する弾力が原稿圧着板３のモーメントより小さくなるものである。
【００２５】
バネ受け部材７１及びカムスライダー７２は、断面矩形の有底筒体状に形成されている。これらのバネ受け部材７１及びカムスライダー７２は、互いの開口部が向き合うと共にこれらの間に圧縮コイルスプリング７３が収容された状態で支持部材５の収容部５８にそれぞれ個別に摺動可能に嵌合された状態で挿入されている。バネ受け部材７１及びカムスライダー７２は、取付部材４の底板４１と支持部材５（上板５１）が略平行になっているとき（例えば機器本体２の上面のコンタクトガラス２０上に原稿圧着板３を密着させたとき（原稿圧着板が閉成位置にあるとき））、支持部材５の収容部５８内に嵌合される長さで形成されている。
【００２６】
バネ受け部材７１の閉塞面７１ａの外表面には作動ピン１４が当接しており、圧縮コイルスプリング７３の弾力によって作動ピン１４を押圧して、支持部材５とリフト部材６とが重なり合うようになっている。すなわち、圧縮コイルスプリング７３の弾力によって支持部材５の上板５１に調節ネジ５９ａの先端が当接して、支持部材５の上板５１とリフト部材６の上板６１とが略平行で、かつ近接するようになっている。
【００２７】
カムスライダー７２の底部（閉塞部ということがある。）の外表面の略中央部には、突部７２ａが設けられている。この突部７２ａは、支持部材５の上板５１に略平行に延びて形成されている。突部７２ａより上板５１側のカムスライダー７２の底部外表面は、ストッパー孔９にストッパーピン１０が挿通されている場合には、そのストッパーピン１０が当接するピン当接部７２ｆとして形成されている。突部７２ａの拘持板５３側のカムスライダー７２の底部外表面は漸次傾斜された傾斜部７２ｂとして形成されている。このカムスライダー７２の底部の外表面の突部７２ａ及び傾斜部７２ｂが１種のカムとして形成されている。
【００２８】
すなわち、閉成位置にある原稿圧着板３（図６参照。）をコンタクトガラス２０から離間する方向（上方）に第１ヒンジピン１１を軸に開閉させると、受圧ピン１３に当接する箇所が突部７２ａから傾斜部７２ｂへと徐々に摺動すると共に、カムスライダー７２が圧縮コイルスプリング７３によって支持部材５内を後端部側へと押圧されて摺動し、圧縮コイルスプリング７３が徐々に伸びる。そして、原稿圧着板３が最大使用開放角度（例えば、６０°（６０°前後を含む。）〜７０°（７０°前後を含む。））になると（図７参照。）、その開閉が原稿圧着板開閉規制機構（図示せず）によって規制される。なお、図６〜図８中、符号７２ｃは延出片を示し、この延出片７２ｃとカムスライダー７２を形成する壁部との間に、拘持板５３が位置されるようになっている。
【００２９】
圧縮コイルスプリング７３内には、ダンパー装置８が設けられている場合がある。このダンパー装置８は、原稿圧着板３が閉成方向に回動したとき、原稿圧着板３の所定の回動角度である開成角度以下の特定の角度以下（例えば１０°前後以下）においてのみ、その原稿圧着板３の回動速度を低減させるように動作するものである。なお、本発明において閉成方向とは、原稿圧着板３を回動させる際に原稿圧着板３がコンタクトガラス２０に近づく方向をいう。本発明における特定の角度以下とは、前記の所定の開成角度以下の角度であれば特に限定されない。
【００３０】
ダンパー装置８は、例えば、オイルダンパー装置等である。このダンパー装置８は、原稿圧着板３の特定の角度以下（例えば１０°前後以下）においてのみその原稿圧着板３の開閉速度を低減させることができれば、特に限定されない。ダンパー装置８は、例えば、シリコンオイル等のオイルが充填されているシリンダ８１と、シリンダ８１内に移動可能に設けられ、ピストンロッド８３が連結されていると共に、ピストンロッド８３のシリンダ８１から露出している露出長が長くなるように付勢されるピストン（図示せず）とから主に構成されている。
【００３１】
ストッパー孔９は、カムスライダー７２が圧縮コイルスプリング７３の弾力によってヒンジピン取付孔１７を塞ぐことを阻止するために設けられたもので、特に組立時に有効に利用されるものである。ストッパー孔９の位置は、支持部材５の自由端部とヒンジピン取付孔１７との間であれば特に限定されないが、取付部材４の連結孔１６と支持部材５のヒンジピン取付孔１７との孔合わせをした際に、カムスライダー７２の端面が受圧ピン１３に当接して邪魔にならない位置であれば特に限定されるものではない。すなわち、このストッパー孔９にストッパー部材である例えばストッパーピン１０を挿入して、このストッパーピン１０にカムスライダー７２を当接させることによってカムスライダー７２がヒンジピン取付孔１７を塞ぐことを阻止することができる。その結果、支持部材５のヒンジピン取付孔１７、１７と取付部材４の連結孔１６、１６に取り付けた軸受部材４４、４４の軸受孔４５、４５との孔合わせ及びワッシャー４６、４６の介在作業、さらには第１ヒンジピン１１の挿通作業が容易となり、組立作業性が向上する。この際に、受圧ピン１３は、予め取付部材４の両側板４２、４２間に軸架固定してもよいし、第１ヒンジピン１１による連結後に取り付けてもよい。
【００３２】
この組立性の向上について図１〜図５を用いて詳細に説明する。本発明に係る原稿圧着板開閉装置１を組み立てるには、図１に示すように、まず、作動ピン孔に作動ピン１４が挿通されて固定されたリフト部材６の第２ヒンジピン挿通孔と支持部材５の第２ヒンジピン孔５７とを孔合わせする。この孔合わせした孔に第２ヒンジピン１２を挿通して、リフト部材６と支持部材５とが第２ヒンジピン１２を軸に互いに回動可能に連結する。勿論、この組立作業を逆にしてもよい。
【００３３】
次いで、支持部材５の基端部（ヒンジピン取付孔１７側の端部）側からダンパー装置８を取り付けたバネ受け部材７１を圧縮コイルスプリング７３毎、その上にカムスライダー７２をかぶせた状態で、支持部材５の収容部５８内へ挿入する。すると、バネ受け部材７１が作動ピン１４に当接し、図２に示すように、カムスライダー７２が支持部材５のヒンジピン取付孔１７を塞いだ状態となるので、カムスライダー７２を、図示してない冶具を用いて圧縮コイルスプリング７３の弾力に抗して押して、該カムスライダー７２の端面がストッパー孔９を通過したところで、図３に示すように、ストッパー孔９へストッパーピン１０を挿入させると、カムスライダー７２はストッパーピン１０に当接してその位置で停止させられる。これにより、ヒンジピン取付孔１７を塞ぐものがなくなるので、取付部材４の連結孔１６、１６への軸受部材４４、４４の取付作業、この軸受部材４４、４４の軸受孔４５、４５と支持部材５のヒンジピン取付孔１７、１７との孔合わせ、及びワッシャー４６、４６の介在作業等が容易となり、第１ヒンジピン１１をヒンジピン取付孔１７、１７と軸受孔４５、４５へ通して、取付部材４へ支持部材５を連結するものである。なお、受圧ピン１３は予め取付部材４の両側板４２、４２間に軸架固定させてある。次いで、ストッパーピン１０を引き抜くと、カムスライダー７２は、受圧ピン１３に当接して、組み立てが完了するものである。この状態を示したものが図５と図７である。
【００３４】
特に原稿圧着板３に原稿自動送り装置が設けられていると、原稿圧着板３の重量が増えるために、圧縮コイルスプリング７３としてはより付勢力が強いものが用いられるので、組立時にカムスライダー７２を押さえつけるのに大きな力が必要となり、孔合わせ及び第１ヒンジピン１１の挿通作業を行い難い。これに対して、本発明では、カムスライダー７２がストッパーピン１０に当接してヒンジピン取付孔１７が常に開放された状態となるために、ヒンジピン取付孔１７、１７と軸受部材４４、４４の軸受孔４５、４５との孔合わせ、及びワッシャー４６、４６を介在させての第１ヒンジピン１１の挿通作業を容易に行うことができる。その結果、支持部材５を容易に取付部材４に取り付けることができ、組立作業性が向上する。
【００３５】
また、本発明は、カムスライダー７２は、例えば、ピン当接部７２ｆが原稿圧着板３又は支持部材５が所定の回動角度（第１回動角度ということがある。）以上で第１ヒンジピン１１に当接し、第１回動角度より大きい角度で受圧ピン１３が当接しないように形成されている。本発明において第１回動角度とは、最大開成角度の９０°より所定の角度小さい角度、例えば、最大開成角度より２５°前後から３５°前後の小さい角度（所定の開成角度ということがある。）である。これにより、原稿圧着板３が第１回動角度を越えたときには、カムスライダー７２が第１ヒンジピン１１に当接して、しかる後にカムスライダー７２が受圧ピン１３から離間し、原稿圧着板３に弾性手段７の弾力が作用しなくなるようになっている。
【００３６】
すなわち、原稿圧着板３は、機器本体２が使用されていない状態では、図６に示すように、機器本体２のコンタクトガラス２０に密着されている。コンタクトガラス２０の面上に原稿を載置するには、まず、原稿圧着板３のリフト部材６が取り付けられている箇所とは反対側の端部又はその近傍等に設けられている把持部を持って原稿圧着板３を上方に持ち上げる。すなわち、原稿圧着板３を第１ヒンジピン１１を軸にのみ回動させてコンタクトガラス２０面を外部に露出させる。このように原稿圧着板３を回動させるとき、原稿圧着板３は、圧縮コイルスプリング７３の弾力によって開成方向に回動付勢されているので、重量を感じさせることなく開成方向に回動する。
【００３７】
このとき、原稿圧着板３は、図７に示すように、第１回動角度になると、カムスライダー７２が第１ヒンジピン１１に当接し、しかる後にカムスライダー７２が受圧ピン１３から離間するために（例えば図８参照。）、圧縮コイルスプリング７３の原稿圧着板３への弾力が解除され、原稿圧着板３の回動速度が遅くなって停止するので、原稿圧着板３が急激に跳ね上がることが防止される。その結果、原稿圧着板３の停止の際の衝撃により複写機等の事務機器等が故障したりすることがない。また、原稿圧着板開閉装置１に自動原稿送り装置が備えられていても、停止の際の衝撃により自動原稿送り装置が故障したり原稿押え板等が破損したりすることがない。
【００３８】
露出したコンタクトガラス２０の面上に原稿を載置した後、持ち上げた原稿圧着板３を降ろす。すなわち、原稿圧着板３を閉成方向に回動させる。すると、原稿圧着板３はコンタクトガラス２０と接触する方向に第１ヒンジピン１１を軸に回動する（下方に移動する）。このとき、圧縮コイルスプリング７３の弾力によってリフト部材６の上板６１に調節ネジ５９ａの先端が当接した状態のまま、つまり、原稿圧着板３（リフト部材６）が第２ヒンジピン１２を軸に回動することがないまま、原稿圧着板３が第１ヒンジピン１１を軸にのみ下方に回動する。
【００３９】
このように原稿圧着板３を閉成方向に回動させる場合、最初は圧縮コイルスプリング７３の付勢力に抗するために多少の力が必要になるが、例えば、原稿圧着板３の開成角度が２０°（２０°前後を含む。）以下になると、原稿圧着板３の重量が圧縮コイルスプリング７３の付勢力より強くなるので、原稿圧着板３は落下するように回動する。原稿圧着板３の開成角度が特定の角度例えば１０°（１０°前後を含む。）になると、ダンパー装置８のピストンロッド８３の先端がカムスライダー７２の底部の内面７２ｄに当接して、ピストンロッド８３がシリンダ８１内に移動してピストンロッド８３の露出長が短くなり、原稿圧着板３の回動速度が低減される。その結果、原稿圧着板３の回動速度がダンパー装置８によって制御されるので、原稿圧着板３が勢いよくコンタクトガラス２０に衝突することがない。
【００４０】
次に、原稿をコンタクトガラス２０上より取り去って原稿圧着板３を元位置に戻す際には、図示例では時計方向に開閉するリフト部材６に取り付けた作動ピン１４がバネ受け部材７１の外表面を摺動しつつ移動するので、時計方向の開閉が容易となり、原稿圧着板３は容易に元位置へ戻ることになって、その操作性を向上させることができる。
【００４１】
したがって、本発明に係る原稿圧着板開閉装置１は、組立作業性が向上すると共に、原稿圧着板３が急激に跳ね上がることがなく、かつ、反転させた原稿圧着板３を容易に元位置に戻すことができる。
【００４２】
なお、以上の本発明の形態ではダンパー装置８を用いたものを示したが、このダンパー装置８を用いない構成の原稿圧着板開閉装置にそのまま適用することができる。
【産業上の利用可能性】
【００４３】
以上説明したように本発明に係る原稿圧着板開閉装置は、特に弾性手段を作用させたカムスライダーを用いたものにおいて、組立時に支持部材のヒンジピン取付孔と取付部材の連結孔に取り付けた軸受部材の軸受孔との孔合わせ、及び第１ヒンジピンの挿通が容易となり、組み立てを容易に行える上に、原稿圧着板の開成時に当該原稿圧着板が煽られて複写機や原稿自動送り装置に衝撃を与えることを防止できるので、特に複写機、印刷機、ファクシミリ、スキャナー等の事務機器の原稿圧着板開閉装置として好適に用いられるものである。
【図面の簡単な説明】
【００４４】
【図１】本発明に係る原稿圧着板開閉装置の組立の一例を示す斜視図である。
【図２】本発明に係る原稿圧着板開閉装置の組立の一例を示す斜視図である。
【図３】本発明に係る原稿圧着板開閉装置の組立の一例を示す斜視図である。
【図４】本発明に係る原稿圧着板開閉装置の組立の一例を示す斜視図である。
【図５】本発明に係る原稿圧着板開閉装置の組立の一例を示す斜視図である。
【図６】本発明に係る原稿圧着板開閉装置の一例を示し、原稿圧着板を閉じた状態を示す側断面図である。
【図７】本発明に係る原稿圧着板開閉装置の一例を示し、原稿圧着板が所定の回動角度のときの状態を示す側断面図である。
【図８】本発明に係る原稿圧着板開閉装置の一例を示し、原稿圧着板が最大開放位置のときの状態を示す側断面図である。
【符号の説明】
【００４５】
１  原稿圧着板開閉装置
２  機器本体
３  原稿圧着板
４  取付部材
５  支持部材
６  リフト部材
７  弾性手段
８  ダンパー装置
９  ストッパー孔
１０  ストッパーピン
１１  第１ヒンジピン
１２  第２ヒンジピン
１３  受圧ピン
１４  作動ピン
１６  連結孔
１７  ヒンジピン取付孔
７１  バネ受け部材
７２  カムスライダー
７３  圧縮コイルスプリング
【図１】
2006163180.tif 000003
【図２】
2006163180.tif 000004
【図３】
2006163180.tif 000005
【図４】
2006163180.tif 000006
【図５】
2006163180.tif 000007
【図６】
2006163180.tif 000008
【図７】
2006163180.tif 000009
【図８】
2006163180.tif 000010